(57)【要約】  【課題】  ２つの通過帯域の周波数が任意に設定できるとともに、２つの通過帯域の間の周波数領域における減衰量が充分に確保されたフィルタ回路ならびにそれを用いた無線通信モジュールおよび無線通信機器を提供する。  【解決手段】  第１，第２のバンドパスフィルタ20，30が並列に接続された、２つの通過帯域を有するフィルタ回路であって、各々のバンドパスフィルタは、相互に結合して通過帯域を形成するように順次配列された複数の共振器からなる共振器群と、入力段の共振器21に結合する入力端子11と、出力段の共振器22に結合する出力端子12とを少なくとも備え、共振器群は１／４波長共振器および１／２波長共振器の少なくとも一方によって構成され、第１のバンドパスフィルタ20および第２のバンドパスフィルタ30の少なくとも一方の共振器群は、１／４波長共振器および１／２波長共振器の両方を有するフィルタ回路とする。【選択図】  図１
2010199949.tif 000002
【特許請求の範囲】
【請求項１】
第１の周波数帯域を通過帯域とする第１のバンドパスフィルタと、前記第１の周波数帯域よりも周波数が高い第２の周波数帯域を通過帯域とする第２のバンドパスフィルタとが互いに並列に接続されて構成された、２つの通過帯域を有するフィルタ回路であって、
前記第１のバンドパスフィルタおよび前記第２のバンドパスフィルタの各々は、相互に結合して通過帯域を形成するように順次配列された複数の共振器からなる共振器群と、該共振器群の前記複数の共振器のうちの入力段の共振器に結合する入力端子と、前記共振器群の前記複数の共振器のうちの出力段の共振器に結合する出力端子とを少なくとも備え、
前記共振器群は一方端が短絡された１／４波長共振器および両端が開放された１／２波長共振器の少なくとも一方によって構成されており、
前記第１のバンドパスフィルタおよび前記第２のバンドパスフィルタの少なくとも一方の前記共振器群は、前記１／４波長共振器および前記１／２波長共振器の両方を有しており、
前記１／２波長共振器の一方端側は、隣接する前記入力端子側の共振器または前記入力端子に結合するとともに、前記１／２波長共振器の他方端側は、隣接する前記出力端子側の共振器または前記出力端子に結合しており、
前記第１のバンドパスフィルタにおいて、前記共振器群に含まれる前記１／２波長共振器の数が０または偶数のときはａ＝１，奇数のときはａ＝−１，隣り合う前記共振器間の結合が主に誘導性であるところの数が０または偶数のときはｂ＝１，奇数のときはｂ＝−１，前記入力段の共振器と前記入力端子との結合が主に容量性であるときはｃ＝１，誘導性であるときはｃ＝−１，前記出力段の共振器と前記出力端子との結合が主に容量性であるときはｄ＝１，誘導性であるときはｄ＝−１，とし、
前記第１のバンドパスフィルタの通過特性において、前記第１の周波数帯域および前記第２の周波数帯域の間に位置する第３の周波数帯域と前記第１の周波数帯域との間の周波数領域に形成される、複数のルートで伝達される信号同士の位相差によって形成される減衰極の数が０または偶数のときはｅ＝１，奇数のときはｅ＝−１とし、
前記第２のバンドパスフィルタにおいて、前記共振器群に含まれる前記１／２波長共振器の数が０または偶数のときはｆ＝１，奇数のときはｆ＝−１，隣り合う前記共振器間の結合が主に誘導性であるところの数が０または偶数のときはｇ＝１，奇数のときはｇ＝−１，前記入力段の共振器と前記入力端子との結合が主に容量性であるときはｈ＝１，誘導性であるときはｈ＝−１，前記出力段の共振器と前記出力端子との結合が主に容量性であるときはｊ＝１，誘導性であるときはｊ＝−１，前記共振器群を構成する前記共振器の数が偶数のときはｋ＝１，奇数のときはｋ＝−１とし、
前記第２のバンドパスフィルタの通過特性において、前記第３の周波数帯域と前記第２の周波数帯域との間の周波数領域に、複数のルートで伝達される信号同士の位相差によって形成される減衰極の数が０または偶数のときはｍ＝１，奇数のときはｍ＝−１とすると、
ａ×ｂ×ｃ×ｄ×ｅ×ｆ×ｇ×ｈ×ｊ×ｋ×ｍ＝−１を満足するように、前記第１のバンドパスフィルタの前記共振器群に含まれる前記１／２波長共振器の数および前記第２のバンドパスフィルタの前記共振器群に含まれる前記１／２波長共振器の数が定められていることを特徴とするフィルタ回路。
【請求項２】
請求項１に記載のフィルタ回路を備えることを特徴とする無線通信モジュール。
【請求項３】
請求項１に記載のフィルタ回路を含むＲＦ部と、該ＲＦ部に接続されたベースバンド部と、前記ＲＦ部に接続されたアンテナとを備えることを特徴とする無線通信機器。
【発明の詳細な説明】
【技術分野】
【０００１】
本発明は、フィルタ回路ならびにそれを用いた無線通信モジュールおよび無線通信機器に関するものであり、特に、２つの通過帯域を有するフィルタ回路ならびにそれを用いた無線通信モジュールおよび無線通信機器に関するものである。
【背景技術】
【０００２】
高周波回路の小型化のため、２つの通過帯域を備えるデュアルバンドフィルタの需要が高まっている。このようなデュアルバンドフィルタとして、例えば、誘電体共振器の基本波共振モードおよび高次共振モードを利用して２つの通過帯域を構成するデュアルバンドフィルタが提案されている（例えば、特許文献１を参照。）。
【先行技術文献】
【特許文献】
【０００３】
【特許文献１】特開平10−41701号公報
【発明の概要】
【発明が解決しようとする課題】
【０００４】
しかしながら、特許文献１にて提案されたような従来のデュアルバンドフィルタは、基本波共振モードおよび高次共振モードを利用しているため、２つの通過帯域の周波数を任意に設定することができないという問題があった。
【０００５】
本発明はこのような従来の技術における問題点に鑑みて案出されたものであり、その目的は、２つの通過帯域の周波数が任意に設定できるとともに、２つの通過帯域の間の周波数領域における減衰量が充分に確保されたフィルタ回路ならびにそれを用いた無線通信モジュールおよび無線通信機器を提供することにある。
【課題を解決するための手段】
【０００６】
本発明のフィルタ回路は、第１の周波数帯域を通過帯域とする第１のバンドパスフィルタと、前記第１の周波数帯域よりも周波数が高い第２の周波数帯域を通過帯域とする第２のバンドパスフィルタとが互いに並列に接続されて構成された、２つの通過帯域を有するフィルタ回路であって、前記第１のバンドパスフィルタおよび前記第２のバンドパスフィルタの各々は、相互に結合して通過帯域を形成するように順次配列された複数の共振器からなる共振器群と、該共振器群の前記複数の共振器のうちの入力段の共振器に結合する入力端子と、前記共振器群の前記複数の共振器のうちの出力段の共振器に結合する出力端子とを少なくとも備え、前記共振器群は一方端が短絡された１／４波長共振器および両端が開放された１／２波長共振器の少なくとも一方によって構成されており、前記第１のバンドパスフィルタおよび前記第２のバンドパスフィルタの少なくとも一方の前記共振器群は、前記１／４波長共振器および前記１／２波長共振器の両方を有しており、前記１／２波長共振器の一方端側は、隣接する前記入力端子側の共振器または前記入力端子に結合するとともに、前記１／２波長共振器の他方端側は、隣接する前記出力端子側の共振器または前記出力端子に結合しており、前記第１のバンドパスフィルタにおいて、前記共振器群に含まれる前記１／２波長共振器の数が０または偶数のときはａ＝１，奇数のときはａ＝−１，隣り合う前記共振器間の結合が主に誘導性であるところの数が０または偶数のときはｂ＝１，奇数のときはｂ＝−１，前記入力段の共振器と前記入力端子との結合が主に容量性であるときはｃ＝１，誘導性であるときはｃ＝−１，前記出力段の共振器と前記出力端子との結合が主に容量性であるときはｄ＝１，誘導性であるときはｄ＝−１，とし、前記第１のバンドパスフィルタの通過特性において、前記第１の周波数帯域および前記第２の周波数帯域の間に位置する第３の周波数帯域と前記第１の周波数帯域との間の周波数領域に形成される、複数のルートで伝達される信号同士の位相差によって形成される減衰極の数が０または偶数のときはｅ＝１，奇数のときはｅ＝−１とし、前記第２のバンドパスフィルタにおいて、前記共振器群に含まれる前記１／２波長共振器の数が０または偶数のときはｆ＝１，奇数のときはｆ＝−１，隣り合う前記共振器間の結合が主に誘導性であるところの数が０または偶数のときはｇ＝１，奇数のときはｇ＝−１，前記入力段の共振器と前記入力端子との結合が主に容量性であるときはｈ＝１，誘導性であるときはｈ＝−１，前記出力段の共振器と前記出力端子との結合が主に容量性であるときはｊ＝１，誘導性であるときはｊ＝−１，前記共振器群を構成する前記共振器の数が偶数のときはｋ＝１，奇数のときはｋ＝−１とし、前記第２のバンドパスフィルタの通過特性において、前記第３の周波数帯域と前記第２の周波数帯域との間の周波数領域に、複数のルートで伝達される信号同士の位相差によって形成される減衰極の数が０または偶数のときはｍ＝１，奇数のときはｍ＝−１とすると、ａ×ｂ×ｃ×ｄ×ｅ×ｆ×ｇ×ｈ×ｊ×ｋ×ｍ＝−１を満足するように、前記第１のバンドパスフィルタの前記共振器群に含まれる前記１／２波長共振器の数および前記第���のバンドパスフィルタの前記共振器群に含まれる前記１／２波長共振器の数が定められていることを特徴とするものである。
【０００７】
本発明の無線通信モジュールは、上記本発明のフィルタ回路を備えることを特徴とするものである。
【０００８】
本発明の無線通信機器は、上記本発明のフィルタ回路を含むＲＦ部と、該ＲＦ部に接続されたベースバンド部と、前記ＲＦ部に接続されたアンテナとを備えることを特徴とするものである。
【発明の効果】
【０００９】
本発明のフィルタ回路によれば、第１の周波数帯域を通過帯域とする第１のバンドパスフィルタと、第１の周波数帯域よりも周波数が高い第２の周波数帯域を通過帯域とする第２のバンドパスフィルタとが互いに並列に接続されて構成された、２つの通過帯域を有するフィルタ回路であることから、２つの通過帯域の周波数を任意に設定可能なフィルタ回路を得ることができる。
【００１０】
また、本発明のフィルタ回路は、第１のバンドパスフィルタにおいて、共振器群に含まれる１／２波長共振器の数が０または偶数のときはａ＝１，奇数のときはａ＝−１，隣り合う共振器間の結合が主に誘導性であるところの数が０または偶数のときはｂ＝１，奇数のときはｂ＝−１，入力段の共振器と入力端子との結合が主に容量性であるときはｃ＝１，誘導性であるときはｃ＝−１，出力段の共振器と出力端子との結合が主に容量性であるときはｄ＝１，誘導性であるときはｄ＝−１，とし、第１のバンドパスフィルタの通過特性において、第１の周波数帯域および第２の周波数帯域の間に位置する第３の周波数帯域と第１の周波数帯域との間の周波数領域に形成される、複数のルートで伝達される信号同士の位相差によって形成される減衰極の数が０または偶数のときはｅ＝１，奇数のときはｅ＝−１とし、第２のバンドパスフィルタにおいて、共振器群に含まれる１／２波長共振器の数が０または偶数のときはｆ＝１，奇数のときはｆ＝−１，隣り合う共振器間の結合が主に誘導性であるところの数が０または偶数のときはｇ＝１，奇数のときはｇ＝−１，入力段の共振器と入力端子との結合が主に容量性であるときはｈ＝１，誘導性であるときはｈ＝−１，出力段の共振器と出力端子との結合が主に容量性であるときはｊ＝１，誘導性であるときはｊ＝−１，共振器群を構成する共振器の数が偶数のときはｋ＝１，奇数のときはｋ＝−１とし、第２のバンドパスフィルタの通過特性において、第３の周波数帯域と第２の周波数帯域との間の周波数領域に、複数のルートで伝達される信号同士の位相差によって形成される減衰極の数が０または偶数のときはｍ＝１，奇数のときはｍ＝−１とすると、ａ×ｂ×ｃ×ｄ×ｅ×ｆ×ｇ×ｈ×ｊ×ｋ×ｍ＝−１を満足するように、第１のバンドパスフィルタの共振器群に含まれる１／２波長共振器の数および第２のバンドパスフィルタの共振器群に含まれる１／２波長共振器の数が定められている。これにより、第１のバンドパスフィルタの通過帯域である第１の周波数帯域と第２のバンドパスフィルタの通過帯域である第２の周波数帯域との間に位置する第３の周波数帯域において、第１のバンドパスフィルタを通過する電気信号と第２のバンドパスフィルタを通過する電気信号との間に位相差を生じさせて打ち消し合わせることができるので、２つの通過帯域の間に減衰極を有する優れた通過特性を有するフィルタ回路を得ることができる。
【００１１】
本発明の無線通信モジュールおよび本発明の無線通信機器によれば、２つの通過帯域の間の周波数領域において減衰量が充分に確保された本発明のフィルタ回路を用いて２つの通信帯域の信号を濾波することができるので、小型で通信品質の良い無線通信モジュールおよび無線通信機器を得ることができる。
【図面の簡単な説明】
【００１２】
【図１】本発明の第１の実施例のフィルタ回路を示す等価回路図である。
【図２】図１における第１のバンドパスフィルタ20を示す等価回路図である。
【図３】図１における第２のバンドパスフィルタ30示す等価回路図である。
【図４】図１に示す回路の電気特性のシミュレーション結果を示す図である。
【図５】図２に示す回路の電気特性のシミュレーション結果を示す図である。
【図６】図３に示す回路の電気特性のシミュレーション結果を示す図である。
【図７】比較例のフィルタ回路を示す等価回路図である。
【図８】図７に示す回路の電気特性のシミュレーション結果を示す図である。
【図９】本発明の第２の実施例のフィルタ回路を示す等価回路図である。
【図１０】図９における第１のバンドパスフィルタ20を示す等価回路図である。
【図１１】図９および図１５における第２のバンドパスフィルタ30を示す等価回路図である。
【図１２】図９に示す回路の電気特性のシミュレーション結果を示す図である。
【図１３】図１０に示す回路の電気特性のシミュレーション結果を示す図である。
【図１４】図１１に示す回路の電気特性のシミュレーション結果を示す図である。
【図１５】本発明の第３の実施例のフィルタ回路を示す等価回路図である。
【図１６】図１５における第１のバンドパスフィルタ20を示す等価回路図である。
【図１７】図１５に示す回路の電気特性のシミュレーション結果を示す図である。
【図１８】図１６に示す回路の電気特性のシミュレーション結果を示す図である。
【図１９】本発明の第４の実施例の無線通信モジュールおよび無線通信機器を模式的に示すブロック図である。
【発明を実施するための形態】
【００１３】
以下、本発明のフィルタ回路を添付の図面を参照しつつ詳細に説明する。
【実施例１】
【００１４】
図１は、本発明の第１の実施例のフィルタ回路を示す等価回路図である。図２は、図１のフィルタ回路における第１のバンドパスフィルタ20を示す等価回路図である。図３は、図１のフィルタ回路における第２のバンドパスフィルタ30を示す等価回路図である。
【００１５】
本例のフィルタ回路は、図１に示すように、入力端子11と出力端子12との間に第１の周波数帯域を通過帯域とする第１のバンドパスフィルタ20および第２の周波数帯域を通過帯域とする第２のバンドパスフィルタ30が並列に接続されており、入力端子11および出力端子12は第１のバンドパスフィルタ20と第２のバンドパスフィルタ30とで共用されている。このような構成を備える本例のフィルタ回路によれば、第１の周波数帯域および第２の周波数帯域を任意に設定することができるので、２つの通過帯域の周波数をそれぞれ任意に設定することが可能なフィルタ回路を得ることができる。
【００１６】
第１のバンドパスフィルタ20は、図１および図２に示すように、それぞれ一方端が接地された１／４波長共振器からなる入力段の共振器21および出力段の共振器22を有している。この２つの共振器21，22からなる共振器群によって通過帯域が形成される。また、入力段の共振器21および出力段の共振器22の他方端同士はインダクタ25によって結合されている。さらに、入力段の共振器21の他方端と入力端子11とはキャパシタ23によって結合されており、出力段の共振器22の他方端と出力端子12とはキャパシタ24によって結合されている。
【００１７】
第２のバンドパスフィルタ30は、図１および図３に示すように、それぞれ一方端が接地された１／４波長共振器からなる入力段の共振器31および出力段の共振器32と、入力段の共振器31および出力段の共振器32の間に配置された、両端が開放された１／２波長共振器からなる共振器33とを有している。この３つの共振器31〜33からなる共振器群によって通過帯域が形成される。また、入力段の共振器31の他方端と共振器33の一方端とはキャパシタ35によって結合されており、共振器33の他方端と出力段の共振器32の他方端とはキャパシタ36によって結合されている。さらに、入力段の共振器31の他方端と入力端子11とはキャパシタ34によって結合されており、出力段の共振器32の他方端と出力端子12とはキャパシタ37によって結合されている。
【００１８】
図１に示した本例のフィルタ回路の電気特性のシミュレーション結果を図４に示す。図２に示した本例のフィルタ回路における第１のバンドパスフィルタ20の電気特性のシミュレーション結果を図５に示す。図３に示した本例のフィルタ回路における第２のバンドパスフィルタ30の電気特性のシミュレーション結果を図６に示す。また、図１に示した本例のフィルタ回路における第２のバンドパスフィルタ30の１／２波長共振器33を１／４波長共振器に置き換えた比較例のフィルタ回路を図７に示し、その電気特性のシミュレーション結果を図８に示す。図４〜図６および図８に示すグラフにおいて、横軸は周波数，縦軸は減衰量を示しており、それぞれ、入力端子11をポート１，出力端子12をポート２としたときの通過特性（Ｓ２１）および反射特性（Ｓ１１）を示している。
【００１９】
なお、このシミュレーションでは、図１〜図３に示した回路において、共振器21，22，31〜33は、上下面に接地導体が配置された比誘電率が18.7で厚みが１ｍｍの誘電体中に設けられた幅0.2ｍｍのストリップ線路としており、共振器21，22の長さは６ｍｍとし、共振器31，32の長さは３ｍｍとし、共振器33の長さは7.42ｍｍとした。インダクタ25は15ｎＨとした。キャパシタ23，24は0.65ｐＦとした。キャパシタ34，37は0.5ｐＦとし、キャパシタ35，36は0.19ｐＦとした。図７に示した回路においては、共振器33の長さを3.3ｍｍとした以外は図１に示した回路と同じ素子値とした。
【００２０】
このシミュレーション結果によれば、図５，図６に示した第１のバンドパスフィルタ20および第２のバンドパスフィルタ30の通過特性には減衰極が見られないが、図４に示した本例のフィルタ回路の通過特性においては、２つの通過帯域の間に減衰極が形成されており、２つの通過帯域の間の周波数領域における減衰量が充分に確保された良好な通過特性が得られていることがわかる。この減衰極は、２つの通過帯域の間の周波数領域において、第１のバンドパスフィルタ20を通過する電気信号の位相と第２のバンドパスフィルタ30を通過する電気信号の位相との差が180°に近くなり、第１のバンドパスフィルタ20を通過する電気信号と第２のバンドパスフィルタ30を通過する電気信号とが打ち消し合うことによって生じると考えられる。
【００２１】
また、図８に示した比較例のフィルタ回路の通過特性においては、２つの通過帯域の間に減衰極は形成されていない。図１に示した回路と図７に示した回路との比較により、第２のバンドパスフィルタ30の共振器33を１／４波長共振器から１／２波長共振器に変えることにより、２つの通過帯域の間の周波数領域における第２のバンドパスフィルタ30を通過する電気信号の位相が変化して、第１のバンドパスフィルタ20を通過する電気信号と第２のバンドパスフィルタ30を通過する電気信号とを打ち消し合わせて減衰極を形成できることがわかる。
【００２２】
このように第１のバンドパスフィルタ20および第２のバンドパスフィルタ30を構成する共振器の一部を１／４波長共振器から１／２波長共振器に変えることにより、第１のバンドパスフィルタ20を通過する電気信号と第２のバンドパスフィルタ30を通過する電気信号とを打ち消し合わせることができる条件を求めるため、本発明者は種々の検討を行った。
【００２３】
まず、相互に結合して通過帯域を形成するように順次配列された複数の共振器からなる共振器群と、入力段の共振器に結合する入力端子と、出力段の共振器に結合する出力端子とを少なくとも備え、共振器群は一方端が短絡された１／４波長共振器および両端が開放された１／２波長共振器の少なくとも一方によって構成されており、１／２波長共振器の一方端側は、隣接する入力端子側の共振器または入力端子に結合するとともに、１／２波長共振器の他方端側は、隣接する出力端子側の共振器または出力端子に結合するようなバンドパスフィルタについて、通過帯域外の周波数領域におけるバンドパスフィルタを通過する電気信号の位相がどのように変化するかを調べた結果、以下のことが解った。
１．共振器群に含まれる１／２波長共振器の数が１つ変化する度に、通過帯域外の周波数領域における位相が反転する。
２．共振器群において隣り合う共振器間の結合が主に誘導性であるところの数が１つ変化する度に、通過帯域外の周波数領域における位相が反転する。
３．入力端子と入力段の共振器との結合が主に容量性の場合と主に誘導性の場合とで、通過帯域外の周波数領域における位相が反転する。
４．出力端子と出力段の共振器との結合が主に容量性の場合と主に誘導性の場合とで、通過帯域外の周波数領域における位相が反転する。
５．共振器群を構成する共振器の数が１つ変化する度に、通過帯域よりも低周波側の周波数領域における位相が反転する。
６．バンドパスフィルタの通過特性において、複数のルートで伝達される信号同士の位相差によって形成される減衰極が通過帯域外に形成されている場合には、その減衰極の両側で位相が反転する。
７．共振器群において隣り合う共振器間の結合が主に容量性であるところの数は、通過帯域外の周波数領域における位相に影響を与えない。また、共振器群を構成する共振器の数は、通過帯域よりも高周波側の周波数領域における位相に影響を与えない。
【００２４】
以上の結果を基に、第１の周波数帯域を通過帯域とする第１のバンドパスフィルタと、第１の周波数帯域よりも周波数が高い第２の周波数帯域を通過帯域とする第２のバンドパスフィルタとが互いに並列に接続されて構成された、２つの通過帯域を有するフィルタ回路において、第１のバンドパスフィルタを通過する電気信号と第２のバンドパスフィルタを通過する電気信号とを打ち消し合わせることにより、第１の周波数帯域および第２の周波数帯域の間に位置する第３の周波数帯域に減衰極を形成できる条件を検討して以下の結果を得た。
【００２５】
すなわち、第１のバンドパスフィルタにおいて、共振器群に含まれる１／２波長共振器の数が０または偶数のときはａ＝１，奇数のときはａ＝−１，隣り合う共振器間の結合が主に誘導性であるところの数が０または偶数のときはｂ＝１，奇数のときはｂ＝−１，入力段の共振器と入力端子との結合が主に容量性であるときはｃ＝１，誘導性であるときはｃ＝−１，出力段の共振器と出力端子との結合が主に容量性であるときはｄ＝１，誘導性であるときはｄ＝−１，とし、第１のバンドパスフィルタの通過特性において、第１の周波数帯域および第２の周波数帯域の間に位置する第３の周波数帯域と第１の周波数帯域との間の周波数領域に形成される、複数のルートで伝達される信号同士の位相差によって形成される減衰極の数が０または偶数のときはｅ＝１，奇数のときはｅ＝−１とし、第２のバンドパスフィルタにおいて、共振器群に含まれる１／２波長共振器の数が０または偶数のときはｆ＝１，奇数のときはｆ＝−１，隣り合う共振器間の結合が主に誘導性であるところの数が０または偶数のときはｇ＝１，奇数のときはｇ＝−１，入力段の共振器と入力端子との結合が主に容量性であるときはｈ＝１，誘導性であるときはｈ＝−１，出力段の共振器と出力端子との結合が主に容量性であるときはｊ＝１，誘導性であるときはｊ＝−１，共振器群を構成する共振器の数が偶数のときはｋ＝１，奇数のときはｋ＝−１とし、第２のバンドパスフィルタの通過特性において、第３の周波数帯域と第２の周波数帯域との間の周波数領域に、複数のルートで伝達される信号同士の位相差によって形成される減衰極の数が０または偶数のときはｍ＝１，奇数のときはｍ＝−１とすると、ａ×ｂ×ｃ×ｄ×ｅ×ｆ×ｇ×ｈ×ｊ×ｋ×ｍ＝−１を満足するように、第１のバンドパスフィルタの共振器群に含まれる１／２波長共振器の数および第２のバンドパスフィルタの共振器群に含まれる１／２波長共振器の数を定めればよいことがわかった。
【００２６】
例えば、図１に示す本例のフィルタ回路においては、第１のバンドパスフィルタ20において、共振器群に含まれる１／２波長共振器の数は０，共振器群において隣り合う共振器間の結合が主に誘導性であるところの数は１，入力端子11と入力段の共振器21との結合および出力端子12と出力段の共振器22との結合はどちらも容量性である。また、第１のバンドパスフィルタ20の通過特性において、複数のルートで伝達される信号同士の位相差によって形成される減衰極は形成されていない。
【００２７】
また、第２のバンドパスフィルタ30において、共振器群に含まれる１／２波長共振器の数は１，共振器群において隣り合う共振器間の結合が主に誘導性であるところの数は０，入力端子11と入力段の共振器31との結合および出力端子12と出力段の共振器32との結合はどちらも容量性であり、共振器群を構成する共振器の数は３である。また、第２のバンドパスフィルタ30の通過特性において、複数のルートで伝達される信号同士の位相差によって形成される減衰極は形成されていない。
【００２８】
よって、本例のフィルタ回路においては、ｂ＝ｆ＝ｋ＝−１，ａ＝ｃ＝ｄ＝ｅ＝ｇ＝ｈ＝ｊ＝ｍ＝１であるため、ａ×ｂ×ｃ×ｄ×ｅ×ｆ×ｇ×ｈ×ｊ×ｋ×ｍ＝−１となる。よって、本例のフィルタ回路によれば、２つの通過帯域の間の周波数領域で第１のバンドパスフィルタ20を通過する電気信号と第２のバンドパスフィルタ30を通過する電気信号とが打ち消し合って減衰極が形成されて、２つの通過帯域の間の周波数領域における減衰量が確保された良好な通過特性を得ることができる。
【００２９】
また、本例のフィルタ回路によれば、２つのバンドパスフィルタのうち、一方のバンドパスフィルタの共振器群は、１／４波長共振器のみで構成されており、他方のバンドパスフィルタの共振器群は、１／４波長共振器と１つの１／２波長共振器で構成されていることから、２つの通過帯域の間の周波数領域に減衰極を有する良好な通過特性を有するともに、小型のフィルタ回路を得ることができる。
【実施例２】
【００３０】
図９は、本発明の第２の実施例のフィルタ回路を示す等価回路図である。図10は、図９のフィルタ回路における第１のバンドパスフィルタ20を示す等価回路図である。図11は、図９のフィルタ回路における第２のバンドパスフィルタ30を示す等価回路図である。
【００３１】
本例のフィルタ回路は、図９に示すように、入力端子11と出力端子12との間に第１の周波数帯域を通過帯域とする第１のバンドパスフィルタ20および第２の周波数帯域を通過帯域とする第２のバンドパスフィルタ30が並列に接続されており、入力端子11および出力端子12は第１のバンドパスフィルタ20と第２のバンドパスフィルタ30とで共用されている。
【００３２】
第１のバンドパスフィルタ20は、図９および図10に示すように、それぞれ一方端が接地された１／４波長共振器からなる入力段の共振器21および出力段の共振器22を有している。この２つの共振器21，22からなる共振器群によって通過帯域が形成される。また、入力段の共振器21および出力段の共振器22の他方端同士はインダクタ25によって結合されている。さらに、入力段の共振器21の他方端と入力端子11とはキャパシタ23によって結合されており、出力段の共振器22の他方端と出力端子12とはキャパシタ24によって結合されている。
【００３３】
また、本例のフィルタ回路における第１のバンドパスフィルタ20においては、入力端子11と出力端子12とがキャパシタ26によって接続されている。このキャパシタ26は、第１のバンドパスフィルタ20において、入力端子11→キャパシタ23→インダクタ25→キャパシタ24→出力端子12のルートで伝達される電気信号と、入力端子11→キャパシタ26→出力端子12のルートで伝達される電気信号との間に、180°に近い位相差を生じさせて打ち消しあわせるために配置されている。そして、これにより、第１のバンドパスフィルタ20の通過特性において、通過帯域の両側に減衰極を形成することができる。
【００３４】
第２のバンドパスフィルタ30は、図９および図11に示すように、一方端が接地された１／４波長共振器からなる入力段の共振器31と、両端が開放された１／２波長共振器からなる出力段の共振器32と、入力段の共振器31および出力段の共振器32の間に配置された、両端が開放された１／２波長共振器からなる共振器33とを有している。この３つの共振器31〜33からなる共振器群によって通過帯域が形成される。また、入力段の共振器31の他方端と共振器33の一方端とはキャパシタ35によって結合されており、共振器33の他方端と出力段の共振器32の一方端とはキャパシタ36によって結合されている。さらに、入力端子11と入力段の共振器31の他方端とはキャパシタ34によって結合されており、出力段の共振器32の他方端と出力端子12とはキャパシタ37によって結合されている。
【００３５】
図９に示した本例のフィルタ回路の電気特性のシミュレーション結果を図12に示す。図10に示した本例のフィルタ回路における第１のバンドパスフィルタ20の電気特性のシミュレーション結果を図13に示す。図11に示した本例のフィルタ回路における第２のバンドパスフィルタ30の電気特性のシミュレーション結果を図14に示す。図12〜図14に示すグラフにおいて、横軸は周波数，縦軸は減衰量を示しており、それぞれ、入力端子11をポート１，出力端子12をポート２としたときの通過特性（Ｓ２１）および反射特性（Ｓ１１）を示している。
【００３６】
なお、このシミュレーションでは、図９〜図11に示した回路において、共振器21，22，31〜33は、上下面に接地導体が配置された比誘電率が18.7で厚みが１ｍｍの誘電体中に設けられた幅0.2ｍｍのストリップ線路としており、共振器21，22の長さは６ｍｍとし、共振器31の長さは３ｍｍとし、共振器32の長さは7.54ｍｍとし、共振器33の長さは7.0ｍｍとした。インダクタ25は15ｎＨとした。キャパシタ23，24は0.65ｐＦとした。キャパシタ26は0.15ｐＦとした。キャパシタ34，37は0.5ｐＦとし、キャパシタ35，36は0.14ｐＦとした。
【００３７】
このシミュレーション結果によれば、図13に示した第１のバンドパスフィルタ20の通過特性には通過帯域近傍の高周波側と低周波側に、２つのルートで伝達される電気信号同士の位相差によって形成される減衰極が形成されているが、図14に示した第２のバンドパスフィルタ30の通過特性には減衰極が見られないことがわかる。そして、図12に示した本例のフィルタ回路の通過特性においては、第１のバンドパスフィルタ20の通過帯域近傍の高周波側の減衰極と第２のバンドパスフィルタ30の通過帯域との間の周波数領域に、さらにもう１つの減衰極が形成されていることがわかる。
【００３８】
なお、本例のフィルタ回路においては、ｂ＝ｅ＝ｋ＝−１，ａ＝ｃ＝ｄ＝ｆ＝ｇ＝ｈ＝ｊ＝ｍ＝１であるため、ａ×ｂ×ｃ×ｄ×ｅ×ｆ×ｇ×ｈ×ｊ×ｋ×ｍ＝−１となる。よって、本例のフィルタ回路によれば、２つの通過帯域の間の周波数領域で第１のバンドパスフィルタ20を通過する電気信号と第２のバンドパスフィルタ30を通過する電気信号とが打ち消し合って減衰極が形成されて、２つの通過帯域の間の周波数領域における減衰量が確保された良好な通過特性を得ることができる。
【実施例３】
【００３９】
図15は、本発明の第３の実施例のフィルタ回路を示す等価回路図である。図16は、図15のフィルタ回路における第１のバンドパスフィルタ20を示す等価回路図である。なお、本例のフィルタ回路における第２のバンドパスフィルタ30は、図11に示した前述した第２の実施例の第２のバンドパスフィルタ30と素子値まで含めて全く同じであり、その電気特性は図14に示すものである。
【００４０】
本例のフィルタ回路は、図15に示すように、入力端子11と出力端子12との間に第１の周波数帯域を通過帯域とする第１のバンドパスフィルタ20および第２の周波数帯域を通過帯域とする第２のバンドパスフィルタ30が並列に接続されており、入力端子11および出力端子12は第１のバンドパスフィルタ20と第２のバンドパスフィルタ30とで共用されている。
【００４１】
第１のバンドパスフィルタ20は、図15および図16に示すように、それぞれ一方端が接地された１／４波長共振器からなる入力段の共振器21，出力段の共振器22および共振器23を有している。共振器23は入力段の共振器21および出力段の共振器22の間に配置されており、この３つの共振器21〜23からなる共振器群によって通過帯域が形成される。また、入力段の共振器21および共振器23の他方端同士はキャパシタ25によって結合されており、共振器23および出力段の共振器22の他方端同士はキャパシタ26によって結合されている。さらに、入力段の共振器21の他方端と入力端子11とはキャパシタ24によって結合されており、出力段の共振器22の他方端と出力端子12とはキャパシタ27によって結合されている。
【００４２】
図15に示した本例のフィルタ回路の電気特性のシミュレーション結果を図17に示す。図16に示した本例のフィルタ回路における第１のバンドパスフィルタ20の電気特性のシミュレーション結果を図18に示す。図17，18に示すグラフにおいて、横軸は周波数，縦軸は減衰量を示しており、それぞれ、入力端子11をポート１，出力端子12をポート２としたときの通過特性（Ｓ２１）および反射特性（Ｓ１１）を示している。
【００４３】
なお、このシミュレーションでは、図15，16に示した回路において、共振器21〜23は、上下面に接地導体が配置された比誘電率が18.7で厚みが１ｍｍの誘電体中に設けられた幅0.2ｍｍで長さが６ｍｍのストリップ線路とした。キャパシタ24，27は0.6ｐＦとした。キャパシタ25，26は0.15ｐＦとした。
【００４４】
このシミュレーション結果によれば、図18に示した第１のバンドパスフィルタ20の通過特性および図14に示した第２のバンドパスフィルタ30の通過特性には減衰極が見られないことがわかる。そして、図17に示した本例のフィルタ回路の通過特性においては、第１のバンドパスフィルタ20の通過帯と第２のバンドパスフィルタ30の通過帯域との間の周波数領域に１つの減衰極が形成されていることがわかる。
【００４５】
なお、本例のフィルタ回路においては、ｋ＝−１，ａ＝ｂ＝ｃ＝ｄ＝ｅ＝ｆ＝ｇ＝ｈ＝ｊ＝ｍ＝１であるため、ａ×ｂ×ｃ×ｄ×ｅ×ｆ×ｇ×ｈ×ｊ×ｋ×ｍ＝−１となる。よって、本例のフィルタ回路によれば、２つの通過帯域の間の周波数領域で第１のバンドパスフィルタ20を通過する電気信号と第２のバンドパスフィルタ30を通過する電気信号とが打ち消し合って減衰極が形成されて、２つの通過帯域の間の周波数領域における減衰量が確保された良好な通過特性を得ることができる。
【実施例４】
【００４６】
図19は本発明の第４の実施例の無線通信モジュール80および無線通信機器85を示すブロック図である。
【００４７】
本例の無線通信モジュール80は、例えば、ベースバンド信号が処理されるベースバンド部81と、ベースバンド部81に接続されベースバンド信号の変調後および復調前のＲＦ信号が処理されるＲＦ部82とを備えている。
【００４８】
ＲＦ部82には前述した本発明のフィルタ回路821が含まれており、ベースバンド信号が変調されてなるＲＦ信号または受信したＲＦ信号における通信帯域以外の信号をフィルタ回路821によって減衰させている。
【００４９】
具体的な構成としては、ベースバンド部81にはベースバンドＩＣ  811が配置され、ＲＦ部82にはフィルタ回路821とベースバンド部81との間にＲＦ  ＩＣ  822が配置されている。なお、これらの回路間には別の回路が介在していてもよい。
【００５０】
そして、無線通信モジュール80のフィルタ回路821にアンテナ84を接続することによってＲＦ信号の送受信がなされる本例の無線通信機器85が構成される。
【００５１】
このような構成を有する本例の無線通信モジュール80および無線通信機器85によれば、２つの通過帯域の間の周波数領域において減衰量が充分に確保された本発明のフィルタ回路821を用いて２つの通信帯域の信号を濾波することができるので、小型で通信品質の良い無線通信モジュールおよび無線通信機器を得ることができる。
【００５２】
（変形例）
本発明は前述した実施の形態の例に限定されるものではなく、本発明の要旨を逸脱しない範囲において種々の変更，改良が可能である。
【００５３】
例えば、前述した実施の形態の例においては、第２のバンドパスフィルタ30が１／２波長共振器を備えた例を示したが、第１のバンドパスフィルタ20が１／２波長共振器を備えるようにしても良い。また、第１のバンドパスフィルタ20および第２のバンドパスフィルタ30の両方が１／２波長共振器を備えるようにしても構わない。但し、フィルタ回路の小型化の観点では、１／２波長共振器の数は少ない方が望ましい。
【００５４】
また、本発明のフィルタ回路において、共振器群を構成する共振器としては、ストリップ線路やマイクロストリップ線路等を用いた共振器の他に、同軸共振器等を用いることができる。
【符号の説明】
【００５５】
11：入力端子
12：出力端子
20：第１のバンドパスフィルタ
30：第２のバンドパスフィルタ
21，31：入力段の共振器
22，32：出力段の共振器
【図１】
2010199949.tif 000003
【図２】
2010199949.tif 000004
【図３】
2010199949.tif 000005
【図４】
2010199949.tif 000006
【図５】
2010199949.tif 000007
【図６】
2010199949.tif 000008
【図７】
2010199949.tif 000009
【図８】
2010199949.tif 000010
【図９】
2010199949.tif 000011
【図１０】
2010199949.tif 000012
【図１１】
2010199949.tif 000013
【図１２】
2010199949.tif 000014
【図１３】
2010199949.tif 000015
【図１４】
2010199949.tif 000016
【図１５】
2010199949.tif 000017
【図１６】
2010199949.tif 000018
【図１７】
2010199949.tif 000019
【図１８】
2010199949.tif 000020
【図１９】
2010199949.tif 000021